(57)【要約】【課題】製造時の手間を削減可能で、薄型化および軽量化を実現しやすいディスプレイシステムを実現する。【解決手段】携帯電話機５とディスプレイユニット６とを備えたディスプレイシステムにおいて、上記ディスプレイユニット６のデータ信号線駆動回路２２、走査信号線駆動回路２３および記憶手段２０が、コネクタ６ａ，７ａを介して上記携帯電話機５に着脱式に接続され、ディスプレイユニット６を携帯電話機５の増設ディスプレイとして使用できるようにした。【選択図】図９
2010107989.tif 000002
【特許請求の範囲】
【請求項１】
アンテナと、無線通信用ＩＣと、表示部として動作する本体ディスプレイと、上記無線通信用ＩＣと上記本体ディスプレイの間に介在し、無線通信用ＩＣを介して表示が指示された映像を表示するように上記本体ディスプレイを制御する制御手段とを有する携帯電話機と、
画素アレイと、該画素アレイを駆動するデータ信号線駆動回路および走査信号線駆動回路と、プログラムが記憶された記憶手段と、上記携帯電話機に着脱するためのコネクタとを有するディスプレイユニットとを備え、
上記ディスプレイユニットは、上記コネクタを介して上記両駆動回路および記憶手段が上記携帯電話機の制御手段に接続され、携帯電話機の増設ディスプレイとして使用できるようにしたことを特徴とするディスプレイシステム。
【請求項２】
上記ディスプレイユニットの記憶手段は、上記携帯電話機の制御手段が上記ディスプレイユニットの両駆動回路を駆動する動作タイミングイを決定するための情報を記憶していることを特徴とする請求項１記載のディスプレイシステム。
【請求項３】
上記携帯電話機は、さらに、本体側画素アレイと、該画素アレイを駆動する本体側データ信号線駆動回路および本体側走査信号線駆動回路とを備え、
上記制御手段は、上記本体側データ信号線駆動回路および本体側走査信号線駆動回路の動作タイミングも決定することを特徴とする請求項１または２記載のディスプレイシステム。
【発明の詳細な説明】
【技術分野】
【０００１】
本発明は、製造時の手間を削減可能で、薄型化および軽量化を実現しやすいディスプレイシステムに関するものである。
【背景技術】
【０００２】
従来から、液晶表示装置をはじめとして、種々のディスプレイを用いたディスプレイシステムが広く用いられている。例えば、後述する特許文献１に示すディスプレイシステムにおいて、コンピュータに設けられたグラフィックスコントローラは、ディスプレイ装置へ送信する出力画素データを生成している。一方、ディスプレイ装置に設けられたディスプレイシーケンサは、インターフェース論理回路を介して、上記出力画素データを含む信号を、上記コンピュータから受け取り、行ドライバおよび列ドライバを制御する。さらに、当該行ドライバおよび列ドライバは、ディスプレイシーケンサのコントロールのもとで、画素データを表示パネルに駆動する。これにより、上記ディスプレイ装置は、コンピュータから表示が指示した画面を、画素アレイへ表示することができる。
【０００３】
さらに、上記特許文献１に記載のコンピュータでは、上記グラフィックコントローラの後段にパネルコントローラが設けられており、当該パネルコントローラは、ディスプレイ装置から受信した少なくとも１つのパラメータに応答して、上記グラフィックスコントローラの少なくとも１つの動作特性をコンフィギュレーションする。これにより、特注されたパネルコントローラ及びパネルコントローラのインターフェース又はバスに対する互換性を与えることができる。
【先行技術文献】
【特許文献】
【０００４】
【特許文献１】特開２００３−２４８４５１号公報（公開日：2003年９月５日）
【発明の概要】
【発明が解決しようとする課題】
【０００５】
しかしながら、上記構成のディスプレイシステムであっても、ディスプレイシーケンサは、依然として、ディスプレイユニットとしてのディスプレイ装置に設けられている。この結果、ディスプレイ装置はディスプレイユニットに入力する画像データを受信し、ディスプレイユニットに搭載されているディスプレイシーケンサが表示可能な形式にデータを変換する手間が発生し、その部分の余分な回路が必要となる。したがって、ディスプレイユニットと、それに接続される制御手段とを含むディスプレイシステムの構成を充分に簡略化できているとは言い難く、さらなる簡略化が求められている。ここで、さらなる簡略化が特に強く求められる用途としては、例えば、モバイル用途が挙げられる。
【０００６】
本発明は、上記の問題点に鑑みてなされたものであり、その目的は、製造時の手間を削減可能で、薄型化および軽量化を実現しやすいディスプレイシステムを提供することにある。
【課題を解決するための手段】
【０００７】
本発明に係るディスプレイシステムは、上記課題を解決するために、アンテナと、無線通信用ＩＣと、表示部として動作する本体ディスプレイと、上記無線通信用ＩＣと上記本体ディスプレイの間に介在し、無線通信用ＩＣを介して表示が指示された映像を表示するように上記本体ディスプレイを制御する制御手段とを有する携帯電話機と、画素アレイと、該画素アレイを駆動するデータ信号線駆動回路および走査信号線駆動回路と、プログラムが記憶された記憶手段と、上記携帯電話機に着脱するためのコネクタとを有するディスプレイユニットとを備え、上記ディスプレイユニットは、上記コネクタを介して上記両駆動回路および記憶手段が上記携帯電話機の制御手段に接続され、携帯電話機の増設ディスプレイとして使用できるようにしたことを特徴としている。
【０００８】
また、上記ディスプレイユニットの記憶手段は、上記携帯電話機の制御手段が上記ディスプレイユニットの両駆動回路を駆動する動作タイミングイを決定するための情報を記憶していることを特徴としている。
【０００９】
なお、上記情報としては、例えば、制御手段が動作タイミングを決定するために参照するパラメータが挙げられる。一例として、水平および垂直スキャン期間、水平および垂直有効表示期間、水平および垂直ブランク期間、水平および垂直ボーダ期間、水平および垂直フロントポーチ、水平および垂直バックポーチ、水平および垂直パルス幅、並びに、反転方法（ドット反転駆動するかライン反転駆動するかなど）の組み合わせなどが、上記パラメータとして挙げられる。また、上記制御手段がプログラム可能な論理回路の場合、上記情報は、当該論理回路を、上記両駆動回路を制御する制御回路へとプログラムするプログラムであってもよい。
【００１０】
ここで、一般に、上記両駆動回路の動作タイミングは、画素アレイの種類によって決まるが、ディスプレイユニットにタイミングコントローラ（タイミングシーケンサ）を設ける構成では、ディスプレイユニットへ入力される画像データを受信し、タイミングコントローラ（ディスプレイシーケンサ）が表示可能な形式にデータを変換する手間が発生し、その部分の余分な回路が必要となっている。この場合、その部分のＩＣ、回路基板面積が増えると共に、消費電力が増加し、コストも上昇してしまう。
【００１１】
これに対して、上記ディスプレイユニットに記憶手段を有する構成では、携帯電話機の制御手段がディスプレイユニットと接続されると、上記情報が、ディスプレイユニットの記憶手段から形態電話機の制御手段へと伝送され、制御手段は、当該情報に基づいて、ディスプレイユニットの上記両駆動回路を駆動する際の動作タイミングを決定する。
【００１２】
したがって、ディスプレイユニットに、上記両駆動回路の動作タイミングを制御するタイミングコントローラを設け、当該ディスプレイユニットとは別体に形成された制御手段がタイミングコントローラと通信する構成とは異なり、ディスプレイユニットから、タイミングコントローラとディスプレイユニットへ入力される画像データを受信し、ディスプレイシーケンサが表示可能な形式にデータを変換する回路とを省略できる。この結果、携帯電話機の増設ディスプレイとして、ディスプレイユニットの構成を簡略化でき、例えば、薄型のディスプレイユニットや軽量のディスプレイユニットを安価に製造できる。
【００１３】
また、ディスプレイユニットとは別体に設けられた携帯電話機の制御手段がディスプレイユニットの上記両駆動回路を駆動する際の動作タイミングは、ディスプレイユニットの記憶手段からの情報に基づいて決定されている。画素アレイの変更などによって、上記両駆動回路の動作タイミングが変更されたとしても、上記情報を当該両駆動回路の動作タイミングに合わせて変更することによって、携帯電話機の制御手段に設けるハードウェアを変更することなく、当該制御手段に、自らの上記両駆動回路に適した動作タイミングで制御させることができる。この結果、制御手段において上記両駆動回路を駆動する回路を別チップに分けることなく他の回路と集積しても、同じハードウェア構成の上記制御手段によって、両駆動回路の動作タイミングが互いに異なるディスプレイユニットをそれぞれ駆動させることができる。この結果、ディスプレイユニットおよび携帯電話機全体の構成を簡略化でき、例えば、軽量なディスプレイシステムや、薄型のディスプレイシステムを安価に実現できる。
【００１４】
さらに、ディスプレイユニットは、上記記憶手段に記憶された情報を上記携帯電話機の制御手段へ出力して、自らの上記両駆動回路に適した動作タイミングで制御させている。したがって、ディスプレイユニットと別体に設けられた制御手段が、ディスプレイユニットの両駆動回路を直接（上記タイミングコントローラを介さず）駆動しているにも拘わらず、両駆動回路の動作タイミングが互いに異なる複数のディスプレイユニット間で、それらに接続する携帯電話機の制御手段のハードウェア構成を共通にすることができる。また、携帯電話機の制御手段に接続されるディスプレイユニットが変更され、両駆動回路の動作タイミングが変更されていたとしても、制御手段は、制御手段側に設けるハードウェアを変更することなく、自らに接続されたディスプレイユニットの両駆動回路に応じた動作タイミングで、両駆動回路を制御できる。この結果、ディスプレイユニットと別体に設けられた携帯電話機の制御手段が、ディスプレイユニットの両駆動回路を直接駆動しているにも拘わらず、制御手段に接続するディスプレイユニットを変更できる。これらの結果、ディスプレイユニットと、それに接続される制御手段とを含むディスプレイシステムを製造する際のコストと手間とを、大幅に削減できる。
【００１５】
また、上記構成に加えて、上記記憶手段は、上記情報として、上記制御手段としてのプログラム可能な論理回路を、上記両駆動回路を制御する制御回路へとプログラムするプログラムを記憶していてもよい。
【００１６】
当該構成では、上記制御手段としてのプログラム可能な論理回路を上記両駆動回路を制御する制御回路へとプログラムするプログラムが、上記記憶手段に記憶されており、当該プログラム可能な論理回路は、自らに接続されたディスプレイユニットから当該プログラムを読み込むことによって、当該ディスプレイユニットの両駆動回路を制御する制御回路を形成する。
【００１７】
したがって、制御手段の制御回路として、パラメータに応じて動作タイミングを変更する回路を設ける構成と比較して、より柔軟に動作タイミングを変更できる。また、より柔軟に動作タイミングを変更できるにも拘わらず、あるディスプレイユニットの両駆動回路を駆動する際には、他のディスプレイユニットの両駆動回路を駆動するための回路を形成しないように上記プログラム可能な論理回路をプログラムできる。この結果、柔軟に動作タイミングを変更可能でしかも回路規模が小さなディスプレイシステムを実現できる。
【００１８】
また、上記構成に加えて、上記ディスプレイユニットは、上記制御手段を着脱するためのコネクタを備え、当該コネクタを介して、上記制御手段と上記両駆動回路および記憶手段とを接続してもよい。
【００１９】
当該構成では、携帯電話機の制御手段を着脱するためのコネクタがディスプレイユニットに設けられているので、半田によって接続する場合よりも、携帯電話機の制御手段とディスプレイユニットとを容易に着脱できる。
【００２０】
上述したように、上記ディスプレイユニットは、ディスプレイユニットにタイミングコントローラを設ける構成よりも構成が簡略化されており、寸法や重量を削減しやすく、携帯する用途に好適である。
【００２１】
また、上記ディスプレイユニットは、自らに接続される携帯電話機の制御手段が、当該ディスプレイユニットの両駆動回路を直接制御しているにも拘わらず、両駆動回路の動作タイミングが互いに異なる複数のディスプレイユニット間で、それらに接続する制御手段のハードウェア構成を共通にすることができるので、携帯電話機が開発された後に、新たな増設ディスプレイが開発された場合でも、当該増設ディスプレイの両駆動回路に合った動作タイミングで、両駆動回路を駆動できる。これらの結果、携帯電話機へ着脱可能な増設ディスプレイのように、形態電話機に着脱されるディスプレイユニットとして、特に好適に使用できる。
【００２２】
また、携帯電話機は、増設ディスプレイとしてのディスプレイユニットを着脱可能なので、状況に応じて、増設ディスプレイを装着した状態と、増設ディスプレイを取り外した状態とを選択できる。また、状況に応じた増設ディスプレイを装着できる。例えば、より広い画面が必要な場合は、増設ディスプレイを装着し、携帯しやすさを重視するときには、増設ディスプレイを取り外すことができる。このように、状況に応じて増設ディスプレイを着脱できるので、より使いやすいディスプレイシステムを実現できる。
【００２３】
なお、上述したように、上記ディスプレイシステムは、上記構成のディスプレイユニットを備えているので、構成が簡略化され、寸法および重量を削減しやすい。また、ディスプレイユニットが上記記憶手段を備えているので、新たな増設ディスプレイが開発された場合でも、制御手段を含む携帯電話機は、何ら支障なく、当該増設ディスプレイの両駆動回路に合った動作タイミングで、両駆動回路を駆動できる。
【００２４】
さらに、上記構成に加えて、上記携帯電話機は、さらに、本体側画素アレイと、当該本体側画素アレイを駆動する本体側データ信号線駆動回路および本体側走査信号線駆動回路とを備え、上記制御手段は、上記本体側データ信号線駆動回路および本体側走査信号線駆動回路の動作タイミングも決定してもよい。
【００２５】
当該構成では、上記制御手段が、増設ディスプレイの両駆動回路だけではなく、携帯電話機に設けられたディスプレイ（本体側画素アレイ）の両駆動回路も駆動しているので、増設ディスプレイの両駆動回路と、携帯型電子機器のディスプレイの両駆動回路とを別個の回路で制御する構成よりも、構成を簡略化できる。
【００２６】
特に、上記制御手段がプログラム可能な論理回路であり、上記情報がそのプログラムの構成の場合は、回路規模をさらに削減できる。具体的には、当該構成において、増設ディスプレイが装着されている場合は、当該増設ディスプレイの両駆動回路を駆動するための回路へと、上記プログラム可能な論理回路をプログラムし、増設ディスプレイが取り外されている場合は、携帯電話機の両駆動回路を駆動するための回路へと、上記論理回路をプログラムすることによって、両者を構成するためのプログラム可能な論理回路を共用でき、回路規模を削減できる。
【発明の効果】
【００２７】
本発明によれば、ディスプレイユニットと携帯電話機とを備えたディスプレイシステムの構成を簡略化できると共に、製造時の手間を削減できるので、ディスプレイユニットを携帯電話機の増設ディスプレイとして、好適に使用できる。
【図面の簡単な説明】
【００２８】
【図１】本発明の参考形態を示すものであり、ディスプレイ端末の要部構成を示すブロック図である。
【図２】上記ディスプレイ端末を含むネットワークシステムの要部構成を示すシステム構成図である。
【図３】上記ディスプレイ端末を組み立てる前の状態を模式的に示した図面である。
【図４】各プログラムセットによって、上記ディスプレイ端末に設けられたプログラマブルロジックＩＣに実現される機能ブロックを示すブロック図である。
【図５】上記ディスプレイ端末の動作を示すフローチャートである。
【図６】上記プログラマブルロジックＩＣに実現される機能ブロックを示すものであり、ネットワークシステムに含まれるコンピュータからのデスクトップ画面を表示している状態を示すブロック図である。
【図７】上記プログラマブルロジックＩＣの層構造を示す図面である。
【図８】本発明の実施形態を示すものであり、携帯電話機と、その増設ディスプレイとの概観を示す斜視図である。
【図９】上記携帯電話機および増設ディスプレイの要部構成を示すブロック図である。
【図１０】上記携帯電話機に設けられたプログラマブルロジックＩＣに形成される機能ブロックを示すものであり、通話に関するブロックを示すブロック図である。
【図１１】上記携帯電話機に設けられたプログラマブルロジックＩＣに形成される機能ブロックを示すものであり、表示に関するブロックを示すブロック図である。ブロック図である。
【図１２】上記携帯電話機に、他の増設ディスプレイが接続される状態を示す斜視図である。
【発明を実施するための形態】
【００２９】
〔参考形態〕
まず、本発明の参考とする参考形態について図１ないし図７に基づいて説明すると以下の通りである。すなわち、図２に示すように、本参考形態に係るネットワークシステム１は、テレビジョン放送およびコンピュータのデスクトップ画面を、テレビジョン放送の受信機およびコンピュータ本体から離れた場所から確認可能なシステムであって、テレビジョン放送を受信する受信機本体２と、例えば、パーソナルコンピュータなどからなるコンピュータ３と、無線伝送経路を介して、両装置２・３と通信可能なディスプレイ端末（表示装置）４とを備えている。
【００３０】
なお、両装置２・３とディスプレイ端末４とが互いに通信できれば、例えば、両装置２・３が有線のローカルエリアネットワーク（ＬＡＮ）によって互いに接続され、当該ＬＡＮに接続された無線ルータを介して、両装置２・３がディスプレイ端末４と通信してもよいが、以下では、一例として、両装置２・３が、それぞれ無線通信機能を有しており、例えば、ＩＥＥＥ（米国電気電子技術者協会）８０２．１１ｂなど、予め定められた規格に従って、両装置２・３がディスプレイ端末４と直接通信できる場合について説明する。
【００３１】
上記受信機本体２は、所望のチャンネルのテレビジョン放送を、例えば、アンテナなどによって受信すると共に、当該テレビジョン放送を、予め定められた映像フォーマット（例えば、ＭＰＥＧ（Moving Picture Expert Group ）２など）にエンコードし、当該フォーマットの映像データを、予め定められた無線通信の規格に従って、ディスプレイ端末４に送信できる。これにより、ディスプレイ端末４は、受信機本体２から離れて配置可能であるにも拘わらず、選局されたテレビジョン放送を表示できる。
【００３２】
本参考形態に係る受信機本体２は、無線通信時の物理層として、ＩＥＥＥ８０２．１１ｂを採用している。また、本参考形態に係る受信機本体２は、データリンク層の媒体アクセス制御（ＭＡＣ）の方式として、帯域保証型のＭＡＣプロトコルを採用している。
【００３３】
本参考形態では、帯域保証型のＭＡＣプロトコルの一例として、ＩＥＥＥ８０２．１１ｅを採用している。当該ＩＥＥＥ８０２．１１ｅでは、ある機器が、ある通信チャネルを用いて通信している間（より詳細には、当該機器と通信相手との間でコネクションが確立されている間中；実際には、ディスプレイ端末４が受信機本体２からのテレビジョン放送を表示している間中）、当該通信チャネルを占有し続ける。したがって、他の機器は、当該通信チャネルで通信できない代わりに、現在通信チャネルを占有している機器は、通信チャネルを共有する場合よりも効率よく、映像データを送信できる。この結果、例えば、物理層として、ＩＥＥＥ８０２．１１ｂを採用し、送信するデータがＭＰＥＧ２でエンコードされた映像データであったとしても、受信機本体２は、ディスプレイ端末４におけるコマ落ち等の不具合を発生させることなく、映像データをディスプレイ端末４へ送信し続けることができる。
【００３４】
なお、上記帯域保証型のＭＡＣプロトコルとして、ＩＥＥＥの規格に準拠しない独自プロトコルを使用してもよい。このような帯域保証型のＭＡＣプロトコルの例として、例えば、シャープ株式会社が開発したＳＳ７００という商品化されているＭＡＣプロトコルを用いても動作することが確認されている。このように、ＩＥＥＥの規格に準拠しない独自のＭＡＣプロトコルを用いることによって、動画コンテンツがパソコンを通過することを防止でき、この点では、著作権保護の観点から好ましい。
【００３５】
また、本参考形態に係る受信機本体２は、上記映像データを送信する際、ＭＡＣ層の上層には、ネットワーク層およびトランスポート層（例えば、ＴＣＰ／ＩＰ：Transmission Control Protocol / Internet Protocol ）を設けず、ＭＡＣ層へ、上記映像データを直接渡している。ここで、上述したように、ネットワークシステム１では、受信機本体２とディスプレイ端末４とが直接通信しており、受信機本体２は、帯域保証型のＭＡＣプロトコルを採用している。したがって、ネットワーク層およびトランスポート層が設けられていないにも拘わらず、受信機本体２は、何ら支障なく、ディスプレイ端末４へ映像データを送信できる。また、これに伴なって、受信機本体２およびディスプレイ端末４での処理が簡略化されている。
【００３６】
さらに、受信機本体２は、ディスプレイ端末４から、例えば、選局指示などの操作受付を示す操作データを受信すると、当該操作データの示す操作に応じた処理（例えば、選局処理など）を行うことができる。
【００３７】
また、コンピュータ３は、リモートデスクトップシステムのサーバとして動作可能であり、コンピュータ３のディスプレイ（図示せず）に表示されているデスクトップ画面自体、あるいは、仮想のデスクトップ画面を、クライアント装置としてのディスプレイ端末４へ送信して、当該デスクトップ画面をディスプレイ端末４に表示させることができる。また、例えば、ポインティングデバイスによって入力される位置情報や、キーボードなどによって入力されるキャラクタ情報など、上記ディスプレイ端末４からの入力操作を示す操作データを受け付け、当該操作データに基づいて、上記キーボードおよびポインティングデバイスなどの入力装置がコンピュータ３に接続されている場合と同様の処理を行うことができる。
【００３８】
この結果、ディスプレイ端末４は、コンピュータ３から離れて配置可能であるにも拘わらず、コンピュータ３に有線で接続されたディスプレイと同様にコンピュータ３のデスクトップ画面をユーザへ表示できると共に、コンピュータ３に有線で接続された入力装置（図示せず）と同様に、ユーザの操作を受け付け、コンピュータ３へ伝えることができる。
【００３９】
また、本参考形態に係るコンピュータ３は、無線通信時の物理層として、ＩＥＥＥ８０２．１１ｂを採用しており、本参考形態に係る受信機本体２は、データリンク層の媒体アクセス制御（ＭＡＣ）の方式として、ベストエフォート型のＭＡＣプロトコルを採用している。
【００４０】
本参考形態では、ベストエフォート型のＭＡＣプロトコルの一例として、ＩＥＥＥ８０２．１１を採用している。当該ＩＥＥＥ８０２．１１では、ある機器が、ある通信チャネルを用いてパケットを送受信する際、当該機器と通信相手との間でコネクションが確立されている間であっても、実際に送受するパケットがない場合は、予め定められたタイミング（例えば、各パケットの通信が終了する毎など）で通信チャネルを開放するように構成されている。したがって、ネットワークシステム１内に無線通信可能な機器が複数存在する場合であっても、上記占有する構成とは異なり、他の機器の通信を阻害することがなく、これら複数の機器間で、通信チャネルを共有できる。なお、この場合であっても、デスクトップ画面は、テレビジョン放送を示す映像データと比較して、リアルタイムに表示する必要が余りないので、コンピュータ３は、何ら支障なく、ディスプレイ端末４へデスクトップ画面を表示させることができる。
【００４１】
なお、本参考形態に係るコンピュータ３にて動作しているリモートデスクトップシステムのサーバ（図示せず）は、ＴＣＰ／ＩＰで通信するように構成されている。これに伴なって、本参考形態に係るコンピュータ３では、上記データリンク層（ＭＡＣ層／ＬＬＣ層）の上層に、ネットワーク層およびトランスポート層としてのＴＣＰ／ＩＰ層が設けられており、当該ＴＣＰ／ＩＰ層は、上記サーバから、リモートデスクトップシステム用のプロトコルのデータ列を受け取ると、当該データ列に、例えば、ＴＣＰ／ＩＰプロトコルのヘッダなど、ＴＣＰ／ＩＰプロトコルでの伝送用のデータを付加して、ＴＣＰ／ＩＰプロトコルのフォーマットのデータ列を生成し、当該データ列を送信するように、上記データリンク層へ指示できる。同様に、ＴＣＰ／ＩＰ層は、当該データリンク層から、ＩＰプロトコルのフォーマットのデータ列を受け取ると、当該データ列から、ＴＣＰ／ＩＰプロトコルでの伝送用のデータを取り除いて、リモートデスクトップシステム用のプロトコルのデータ列を生成し、上記サーバへ渡すことができる。
【００４２】
例えば、本参考形態では、リモートデスクトップシステム用のプロトコルとして、ＶＮＣ（Virtual Network Computing）プロトコルを採用しており、上記サーバは、デスクトップ画面の一部または全部をクライアントとなるディスプレイ端末４へ送信すると共に、クライアントからの操作データの操作を、デスクトップ画面への操作として反映させることができる。
【００４３】
一方、本参考形態に係るディスプレイ端末４には、図３に示すように、無線通信するためのアンテナとしてのフィルムアンテナ１１と、当該フィルムアンテナ１１に接続され、ベースバンド信号と無線信号との間の変復調を行う無線通信用ＩＣ（Integrated Circuit）１２と、例えば、液晶パネルなどからなるディスプレイ（ディスプレイユニット）１３と、無線通信用ＩＣ１２およびディスプレイ１３の間に介在し、無線通信用ＩＣ１２を介して表示が指示された映像を表示するように、ディスプレイ１３を制御可能なコントローラ部１４とが設けられている。
【００４４】
本参考形態に係るディスプレイ１３は、例えば、液晶表示装置によって実現されており、図４に示すように、マトリクス状に配された画素を有する画素アレイ２１と、当該画素アレイ２１のデータ信号線を駆動するデータ信号線駆動回路２２と、画素アレイ２１の走査信号線を駆動する走査信号線駆動回路２３とを備えている。上記画素アレイ２１は、複数のデータ信号線と、各データ信号線に、それぞれ交差する複数の走査信号線とを備えており、データ信号線および走査信号線の組み合わせ毎に、画素が設けられている。
【００４５】
ここで、走査信号線駆動回路２３は、上記各走査信号線へ、例えば、電圧信号など、選択期間か否かを示す信号を出力している。また、走査信号線駆動回路２３は、選択期間を示す信号を出力している走査信号線を、外部から与えられるタイミング信号に基づいて変更している。これにより、各走査信号線は、予め定められたタイミングで、順次選択される。
【００４６】
さらに、データ信号線駆動回路２２は、映像信号として、時分割で入力される各画素への映像データを、所定のタイミングでサンプリングするなどして、それぞれ抽出する。さらに、データ信号線駆動回路２２は、走査信号線駆動回路２３が選択中の走査信号線に対応する各画素へ、当該各画素に対応するデータ信号線をそれぞれ介して、各画素への映像データに応じた出力信号を出力する。
【００４７】
一方、各画素は、自らに対応する走査信号線が選択されている間に、自らに対応するデータ信号線に与えられた出力信号に応じて、発光する際の輝度や透過率などを調整して、自らの明るさを決定する。
【００４８】
ここで、走査信号線駆動回路２３は、走査信号線を順次選択している。したがって、画素アレイ２１の全画素を構成する画素を、それぞれへの映像データが示す明るさ（階調）に設定でき、画素アレイ２１へ表示される画像を更新できる。
【００４９】
また、本参考形態に係るディスプレイ１３は、ディスプレイ１３のデータ信号線駆動回路２２および走査信号線駆動回路２３を制御するタイミングコントローラを備えておらず、行駆動回路および列駆動回路としての上記両駆動回路２２・２３は、コントローラ部１４に直接（タイミングコントローラを介さずに）接続されている。
【００５０】
一方、本参考形態に係るコントローラ部１４には、プログラム可能な論理回路を含むプログラマブルロジックＩＣ３１と、当該プログラマブルロジックＩＣ３１のプログラムが記憶される不揮発性のメモリ（記憶回路）としてのＲＯＭ（Read Only Memory）３２とが設けられている。上記ＲＯＭ３２および２０（後述）には、複数のプログラムセットが記憶されており、プログラマブルロジックＩＣ３１は、当該複数のプログラムセットのいずれに従って自らの論理回路をプログラムするかを選択できる。なお、当該プログラマブルロジックＩＣ３１が特許請求の範囲に記載のプログラム可能な論理回路に対応する。
【００５１】
さらに、本参考形態に係るコントローラ部１４は、作業用のメモリとしてのＲＡＭ（Randam Access Memory）３３を備えており、上記プログラマブルロジックＩＣ３１は、無線通信用ＩＣ１２からの指示に基づいて、ディスプレイ１３の各画素の階調を示す映像データ（少なくとも１フレーム（１コマ）分の映像を示すデータ）を上記ＲＡＭ３３へ書き込むと共に、上記ＲＡＭ３３から、当該映像データを順次読み出し、映像信号として、ディスプレイ１３（より詳細には、そのデータ信号線駆動回路２２）へ出力している。
【００５２】
また、本参考形態では、上述したように、ディスプレイ１３からタイミングコントローラが省略されている。これに伴なって、本参考形態に係るプログラマブルロジックＩＣ３１は、映像信号をデータ信号線駆動回路２２へ供給するだけではなく、上記タイミング信号を含む制御信号を、ディスプレイ１３のデータ信号線駆動回路２２および走査信号線駆動回路２３へ供給して、両駆動回路２２・２３の動作タイミングをも制御している。
【００５３】
さらに、本参考形態に係るディスプレイ１３には、上記各プログラムセットのそれぞれ一部を格納したＲＯＭ（記憶手段）２０が設けられている。具体的には、当該ＲＯＭ２０は、上記各プログラムセットのうち、以下のプログラム、すなわち、両駆動回路２２・２３の動作タイミングを制御する回路（後述するドライバ制御回路４４ａ・４５ｂ・４３ｃ）をプログラムするためのプログラム（以下では、ドライバ制御用プログラムと略称する）を記憶している。なお、上記各プログラムセットのうち、残余の回路（後述するデコーダ回路４３ａなど）をプログラムするためのプログラムは、コントローラ部１４のＲＯＭ３２に格納されている。
【００５４】
ここで、ＲＯＭ２０は、あるプログラムセットのドライバ制御用プログラムと、他のプログラムセットのドライバ制御用プログラムとを別々に（互いに異なる記憶領域に）格納していてもよい。ただし、本参考形態に係るディスプレイ端末４では、各プログラムセットがプログラマブルロジックＩＣ３１に読み込まれている状況同士の間で、上記両駆動回路２２・２３の動作タイミングが共通であるので、ドライバ制御用プログラムも、各プログラムセット間で共通に上記ＲＯＭ２０に記憶すると共に、プログラマブルロジックＩＣ３１は、当該共通のドライバ制御用プログラムを、プログラマブルロジックＩＣ３１から読み出した、各プログラムセットの残余の部分と組み合わせて、読み込んでいる。
【００５５】
上記プログラマブルロジックＩＣ３１および複数のプログラムセットについて、より詳細に説明すると、本参考形態に係るプログラマブルロジックＩＣ３１には、論理回路として、例えば、組み合わせ論理回路および順序論理回路が設けられており、これらの論理回路間の接続をプログラムセットに従って変更できる。本参考形態では、プログラマブルロジックＩＣ３１として、ＦＰＧＡ（Field Programmable Gate Array ）を採用しているが、プログラム可能な論理回路を含んでいれば、例えば、ＰＡＬ（Programmable Array Logic）、ＰＬＡ（Programmable Logic Array）等、他のプログラマブルロジック回路を好適に使用できる。
【００５６】
また、本参考形態に係るＲＯＭ３２・２０には、上記複数のプログラムセットとして、受信機本体２からのテレビジョン放送を表示する際に使用されるプログラムセットＰａと、コンピュータ３からのデスクトップ画面を表示する際に使用されるプログラムセットＰｂとが記憶されている。
【００５７】
ディスプレイ１３へテレビジョン放送を表示する場合、上記プログラマブルロジックＩＣ３１は、プログラムセットＰａに従って自らの論理回路を接続する。これにより、プログラマブルロジックＩＣ３１には、図１に示す各ブロック４１ａ〜４３ａが形成され、プログラマブルロジックＩＣ３１ａとして動作できる。
【００５８】
具体的には、プログラマブルロジックＩＣ３１ａには、無線通信用ＩＣ１２と通信するためのインターフェース（ＩＦ）回路部４１ａと、当該ＩＦ回路部４１ａを介して、無線通信用ＩＣ１２から受信したデジタル信号列を、予め定められた帯域保証型のＭＡＣプロトコルに従って解析して、予め定められた映像フォーマットのデータ列へと変換する帯域保証型のＭＡＣ層処理回路４２ａと、当該データ列を解析（デコード）して、各フレームの映像を示す映像データを上記ＲＡＭ３３へ書き込むデコーダ回路４３ａと、上記ディスプレイ１３のデータ信号線駆動回路２２および走査信号線駆動回路２３の動作を制御すると共に、データ信号線駆動回路２２へ、上記ＲＡＭ３３に格納された映像データを送信するドライバ制御回路４４ａとが設けられる。
【００５９】
なお、図１および後述の図６では、説明の便宜上、プログラマブルロジックＩＣ３１内のブロックのうち、プログラマブルロジックＩＣ３１に現在構成されているブロックを実線で示し、プログラマブルロジックＩＣ３１内に形成可能であるが、現在のプログラムセットに従った論理回路の接続では形成されていないブロックを破線で示している。
【００６０】
これにより、プログラマブルロジックＩＣ３１（３１ａ）は、無線通信用ＩＣ１２によって受信された受信機本体２からのテレビジョン放送を表示するように、ディスプレイ１３の両駆動回路２２・２３を制御できる。
【００６１】
さらに、上記ドライバ制御回路４４ａは、ディスプレイ１３のＲＯＭ２０から読み込まれたプログラムによってプログラムされている。ここで、各ディスプレイ１３のＲＯＭ２０には、それぞれの両駆動回路２２・２３を制御するための回路を構成するためのプログラムが格納されている。したがって、ディスプレイ端末４を製造する際、コントローラ部１４に接続されるディスプレイ１３の機種が、これまでに接続されていた機種から変更され、両駆動回路２２・２３の動作タイミングが変更されていたとしても、プログラマブルロジックＩＣ３１は、何ら支障なく、当該ディスプレイ１３の両駆動回路２２・２３に応じた動作タイミングで、両駆動回路２２・２３を制御できる。
【００６２】
一方、コンピュータ３からのデスクトップ画面を表示する場合には、上記プログラマブルロジックＩＣ３１は、プログラムセットＰｂに従って自らの論理回路を接続する。これにより、プログラマブルロジックＩＣ３１には、図１に示す各ブロック４１ｂ〜４５ｂが形成され、プログラマブルロジックＩＣ３１ｂとして動作できる。
【００６３】
上記プログラマブルロジックＩＣ３１ｂには、無線通信用ＩＣ１２と通信するためのＩＦ回路部４１ｂと、当該ＩＦ回路部４１ｂを介して、無線通信用ＩＣ１２から受信したデジタル信号列を、予め定められたベストエフォート型のＭＡＣプロトコルに従って解析して、ＩＰプロトコルのデータ列へと変換するベストエフォート型のＭＡＣ層処理回路４２ｂと、当該データ列を解析して、ＴＣＰ／ＩＰプロトコルで伝送するためのデータを取り除き、リモートデスクトップシステム用のプロトコルのデータ列へと復元するＴＣＰ／ＩＰ処理部４３ｂと、当該データ列を、当該プロトコルに従って解析して、ＲＡＭ３３に格納されている映像データが当該データ列の指示するデスクトップ画面を示すように、ＲＡＭ３３に格納されている映像データを更新するアプリケーション処理部４４ｂと、上記ディスプレイ１３のデータ信号線駆動回路２２および走査信号線駆動回路２３の動作を制御すると共に、データ信号線駆動回路２２へ、上記ＲＡＭ３３に格納された映像データを送信するドライバ制御回路４５ｂとが設けられる。
【００６４】
例えば、リモートデスクトップシステム用のプロトコルのデータ列には、デスクトップ画面全体の書き換えを指示するデータ列だけではなく、例えば、これまでに送信されていたデスクトップ画面のうち、予め定められた領域のみの書き換えを指示するデータ列も含まれる。したがって、アプリケーション処理部４４ｂを構成する論理回路のうち、画面全体の書き換えを指示するデータ列を受け取った場合に動作する論理回路は、受け取ったデータ列に従って、ＲＡＭ３３へ、デスクトップ画面の映像データを書き込む。一方、アプリケーション処理部４４ｂを構成する論理回路のうち、デスクトップ画面の一部領域の書き換えを指示するデータ列を受け取った場合に動作する論理回路は、ＲＡＭ３３に記憶されているデスクトップ画面の映像データのうち、受け取ったデータ列の示す領域に対応するアドレスに書き込まれている映像データを、受け取ったデータ列の示すように書き換える。
【００６５】
これにより、プログラマブルロジックＩＣ３１（３１ｂ）は、無線通信用ＩＣ１２によって受信されたコンピュータ３からの指示に従ってディスプレイ１３の両駆動回路２２・２３を制御でき、両駆動回路２２・２３が画素アレイ２１にデスクトップ画面を表示するように制御できる。
【００６６】
ところで、本参考形態に係るディスプレイ端末４は、テレビジョン放送やデスクトップ画面を表示するだけではなく、テレビジョン放送に対する操作（例えば、選局指示）やデスクトップ画面への操作を受け付けることができる。
【００６７】
具体的には、本参考形態に係るディスプレイ１３には、図４に示すように、ディスプレイ端末４のユーザの操作を受け付ける入力装置２４が設けられている。本参考形態では、ディスプレイ端末４を持ち運びやすいように、入力装置２４として、ディスプレイ１３の画面上に配置されたタッチパネルが採用されている。
【００６８】
一方、プログラマブルロジックＩＣ３１には、上記入力装置２４から、操作の有無および操作の内容（例えば、いずれの座標がタッチされたかなど）を示す入力信号が入力されている。
【００６９】
また、上記プログラムセットＰａおよびＰｂは、プログラマブルロジックＩＣ３１が、当該入力信号に応じたデータ列の送信を、無線通信用ＩＣ１２へ指示できるように構成されている。
【００７０】
具体的には、プログラムセットＰａに従って自らの論理回路が接続されているプログラマブルロジックＩＣ３１ａには、上記入力装置２４からの入力信号を受け付けるＩＦ回路部４５ａが形成される。当該ＩＦ回路部４５ａは、入力信号を解析して、操作の有無と、操作があった場合、受け付けた操作が予め定められた操作（例えば、選局操作）であるか否かを判定できる。さらに、ＩＦ回路部４５ａは、当該予め定められた操作を受け付けた場合、当該操作に対応する操作データを生成し、帯域保証型のＭＡＣ層処理回路４２ａへ当該操作データを送信するように指示できる。これに伴なって、上記ＭＡＣ層処理回路４２ａを構成する論理回路には、例えば、操作データに、予め定められたＭＡＣプロトコル（この例では、ＩＥＥＥ８０２．１１ｅ）に従って伝送するためのデータを付加するなどして、当該ＭＡＣプロトコルのデータ列を生成し、当該データ列をＩＦ回路部４１ａを介して無線通信用ＩＣ１２へ伝送するための論理回路が含まれている。
【００７１】
これにより、当該プログラマブルロジックＩＣ３１ａは、入力装置２４がテレビジョン放送に対する操作を受け付けた場合、無線通信用ＩＣ１２を制御して、当該無線通信用ＩＣ１２に当該操作を示す操作データを送信させることができる。
【００７２】
同様に、プログラムセットＰｂに従って自らの論理回路が接続されているプログラマブルロジックＩＣ３１ｂには、上記入力装置２４からの入力信号を受け付けて、アプリケーション処理部４４ｂへ送信するＩＦ回路部４６ｂが形成される。また、アプリケーション処理部４４ｂを構成する論理回路には、上記入力信号に基づいて入力装置２４が受け付けた操作を特定すると共に、リモートデスクトップシステム用のプロトコルのデータ列であって、当該操作をコンピュータ３へ通知するデータ列を生成し、当該データ列をＴＣＰ／ＩＰ処理部４３ｂへ送信する論理回路が含まれている。
【００７３】
また、ＴＣＰ／ＩＰ処理部４３ｂを構成する論理回路には、ＩＰプロトコルのデータ列をリモートデスクトップシステム用のプロトコルへ変換する論理回路だけではなく、例えば、リモートデスクトップシステム用のプロトコルのデータ列へ、ＴＣＰ／ＩＰプロトコルで通信するためのヘッダを付加するなどして、リモートデスクトップシステム用のプロトコルのデータ列をＩＰプロトコルのデータ列へ変換すると共に、当該データ列を、ベストエフォート型のＭＡＣ層処理回路４２ｂへ送信する論理回路も含まれている。
【００７４】
さらに、当該ＭＡＣ層処理回路４２ｂを構成する論理回路には、例えば、操作データに、予め定められたＭＡＣプロトコル（この例では、ＩＥＥＥ８０２．１１）に従って伝送するためのデータを付加するなどして、当該ＭＡＣプロトコルのデータ列を生成し、当該データ列をＩＦ回路部４１ａを介して無線通信用ＩＣ１２へ伝送するための論理回路が含まれている。
【００７５】
これにより、上記プログラマブルロジックＩＣ３１ｂは、入力装置２４がデスクトップ画面への操作を受け付けた場合、無線通信用ＩＣ１２を制御して、当該無線通信用ＩＣ１２に当該操作を示す操作データを送信させることができる。
【００７６】
また、プログラムセットＰｂに従って自らの論理回路が接続されているプログラマブルロジックＩＣ３１ｂには、ＡＲＰ（Address Resolusion Protocol ）処理を行うＡＲＰ処理部４７ｂが形成される。当該ＡＲＰ処理部４７ｂは、ＴＣＰ／ＩＰ処理部４３ｂからのデータ列を解析して、送信先のＩＰアドレスを特定すると共に、以下のようにして、当該ＩＰアドレスに対応するＭＡＣアドレスを特定して、当該ＭＡＣアドレス宛てへ上記データ列を送信するように、ＭＡＣ層処理回路４２ｂへ指示できる。すなわち、当該ＩＰアドレスを含むデータ列を、ブロードキャストアドレスとして予め定められたＭＡＣアドレス宛てに送信するように、ＭＡＣ層処理回路４２ｂへ指示する。これに従って、ＭＡＣ層処理回路４２ｂが無線通信用ＩＣ１２を制御して、当該データ列をブロードキャストすると、ディスプレイ端末４と通信可能な機器のうち、上記データ列に含まれるＩＰアドレスが自らのＩＰアドレスである機器は、自らのＭＡＣアドレスを含むデータ列を、ディスプレイ端末４へ返信する。当該データ列がＭＡＣ層処理回路４２ｂによって復元され、ＡＲＰ処理部４７ｂが当該データ列を受け取ると、ＡＲＰ処理部４７ｂは、当該データ列から上記ＭＡＣアドレスを抽出し、上記ＴＣＰ／ＩＰ処理部４３ｂからのデータ列を、当該ＭＡＣアドレス宛てに送信するように指示する。これにより、ディスプレイ端末４は、ＴＣＰ／ＩＰ処理部４３ｂから受け取ったデータ列の送信先のＩＰアドレスに対応するＭＡＣアドレスが不明な場合であっても、何ら支障なく、ＴＣＰ／ＩＰプロトコルで通信できる。
【００７７】
ここで、上記ＡＲＰ処理部４７ｂは、ＴＣＰ／ＩＰ処理部４３ｂがデータ列を送信する度に、上記処理を行っても良いが、本参考形態に係るＡＲＰ処理部４７ｂは、ＭＡＣアドレスと当該ＭＡＣアドレスに対応するＩＰアドレスとの対応関係を、図示しないメモリに記憶させており、ＴＣＰ／ＩＰ処理部４３ｂから、送信先のＩＰアドレスを受け取ると、当該ＩＰアドレスに対応するＭＡＣアドレスが当該メモリに記憶されていると、上記処理を省略して、上記ＴＣＰ／ＩＰ処理部４３ｂからのデータ列を、当該メモリから読み出したＭＡＣアドレス宛てに送信するように指示できる。
【００７８】
また、上記ＡＲＰ処理部４７ｂは、ＭＡＣ層処理回路４２ｂによって復元されたデータ列が、ＩＰアドレスに対応するＭＡＣアドレスの問い合わせであるか否かを判定しており、問い合わせであった場合は、上記ＭＡＣ層処理回路４２ｂへ指示して、自機器のＭＡＣアドレスとして予め記憶されているＭＡＣアドレスを含むデータ列を、上記問い合わせへの回答として、当該問い合わせの送信元へ返信させることができる。
【００７９】
さらに、上記ＩＦ回路部４５ａおよび４６ｂは、入力装置２４からの入力信号に基づいて、ディスプレイ端末４が表示する映像の種類（テレビジョン放送か、デスクトップ画面か）の変更指示を受け付けたか否かを判定できる。さらに、各ＩＦ回路部４５ａおよび４６ｂは、現在表示している種類以外の種類の映像の表示指示を受け付けると、プログラマブルロジックＩＣ３１の制御回路（図示せず）へ指示して、当該種類の映像を表示するためのプログラムセットをＲＯＭ３２および２０から読み出させると共に、当該プログラムセットに従って、自らの論理回路を接続させる。これにより、プログラマブルロジックＩＣ３１の論理回路の接続を、現在の状態から、指示された種類の映像を表示するための状態へと変更することができる。
【００８０】
例えば、テレビジョン放送を表示しているとき、プログラマブルロジックＩＣ３１ａには、ＩＦ回路部４５ａが形成されている。そして、ディスプレイ端末４の入力装置２４がデスクトップ画面の表示指示を受け付けると、当該ＩＦ回路部４５ａは、上記制御回路へデスクトップ画面に対応するプログラムセットＰｂの読み出しを指示する。これにより、プログラマブルロジックＩＣ３１の論理回路の接続は、プログラマブルロジックＩＣ３１ａの状態から、プログラマブルロジックＩＣ３１ｂの状態へと変化し、ディスプレイ端末４は、デスクトップ画面を表示できるようになる。
【００８１】
なお、本参考形態では、上記無線通信用ＩＣ１２とプログラマブルロジックＩＣ３１とは、例えば、ＰＣＩ（Peripheral Component Interconnect）バス、ＩＳＡ（Industry Standard Architecture ）あるいは独自バスなどのバスによって接続されており、上記ＩＦ回路部４１ａ〜４１ｃ（一部後述）には、バスを制御する回路も含まれている。また、本参考形態に係るディスプレイ１３の上記両駆動回路２２・２３は、ＬＤＶＳ（Low Voltage Differential Signaling）によって駆動されている。これに伴なって、プログラマブルロジックＩＣ３１を構成する論理回路のうち、少なくとも、ディスプレイ１３と接続される論理回路は、ＬＤＶＳ信号を出力できるように構成されており、上記ドライバ制御回路４５ａ・４６ｂ・４５ｃ（一部後述）は、上記制御信号および映像信号を、ＬＤＶＳ信号として、上記両駆動回路２２・２３へ出力している。
【００８２】
また、本参考形態に係るディスプレイ端末４は、無線通信用ＩＣ１２の受信した映像信号を表示するだけではなく、他のインターフェース回路によって取得された映像信号も表示できるように構成されている。
【００８３】
具体的には、本参考形態に係るディスプレイ端末４には、図４に示すように、他のインターフェース回路として、蓄積型の記録媒体としてのメモリカード１５へのインターフェース用ＩＣ１６が設けられている。当該ＩＦ用ＩＣ１６は、無線通信用ＩＣ１２と同様に、プログラマブルロジックＩＣ３１に接続されており、当該プログラマブルロジックＩＣ３１は、無線通信用ＩＣ１２からの映像の代わりに、ＩＦ用ＩＣ１６の取得した映像を表示するように、ディスプレイ１３を制御することができる。なお、当該メモリカード１５としては、例えば、コンパクトフラッシュ（登録商標）、スマートメディア（商標）Memory Stick（商標）あるいはＳＤ（Secure Digital；商標）メモリカードなどが挙げられる。
【００８４】
また、コントローラ部１４のＲＯＭ３２・２０には、上記プログラムセットＰａおよびＰｂだけではなく、メモリカード１５に格納されていた映像データの示す映像を表示する際に使用されるプログラムセットＰｃも格納されている。
【００８５】
ディスプレイ１３へメモリカード１５の映像を表示する場合、上記プログラマブルロジックＩＣ３１は、プログラムセットＰｃに従って自らの論理回路を接続する。これにより、プログラマブルロジックＩＣ３１には、図１に示す各ブロック４１ｃ〜４４ｃが形成され、プログラマブルロジックＩＣ３１ｃとして動作できる。
【００８６】
より詳細には、上記メモリカード１５には、予め定められた画像フォーマットの画像データが格納されている。当該画像フォーマットとしては、例えば、ＪＰＥＧ（Joint Photographic Experts Group）フォーマットが挙げられる。
【００８７】
一方、プログラマブルロジックＩＣ３１ｃには、上記画像フォーマットの画像データを上記メモリカード１５から読み出すように、上記ＩＦ用ＩＣ１６を制御するＩＦ回路部４１ｃと、上記ＩＦ用ＩＣ１６およびＩＦ回路部４１ｃを介して、メモリカード１５から読み出した画像データを、上記画像フォーマットに従った信号列であるとして解析（デコード）して、上記画像を示す映像データを、上記ＲＡＭ３３へ書き込むデコーダ回路４２ｃと、上記ディスプレイ１３のデータ信号線駆動回路２２および走査信号線駆動回路２３の動作を制御すると共に、データ信号線駆動回路２２へ、上記ＲＡＭ３３に格納された映像データを送信するドライバ制御回路４３ｃとが設けられる。
【００８８】
これにより、プログラマブルロジックＩＣ３１（３１ｃ）は、メモリカード１５に格納された画像を表示するように、ディスプレイ１３の上記両駆動回路２２・２３を制御できる。
【００８９】
また、プログラマブルロジックＩＣ３１ｃには、ディスプレイ１３の入力装置２４からの入力信号を受け付けるＩＦ回路部４４ｃが形成される。当該ＩＦ回路部４４ｃは、入力信号を解析して、操作の有無と、操作があった場合、受け付けた操作が予め定められた操作であるか否かを判定できる。さらに、ＩＦ回路部４４ｃは、当該予め定められた操作を受け付けた場合、当該操作に対応する処理を行うよう、プログラマブルロジックＩＣ３１ｃの他のブロック４１ｃ〜４３ｃ、または、プログラマブルロジックＩＣ３１ｃに接続された外部回路へ指示することができる。
【００９０】
例えば、本参考形態に係るＩＦ回路部４４ｃは、上記予め定められた操作として、表示している画像の変更操作を受け付けることができる。当該操作を受け付けた場合、ＩＦ回路部４４ｃは、ＩＦ回路部４１ｃへ指示してＩＦ用ＩＣ１６を制御させる。これにより、ＩＦ用ＩＣ１６は、指示された画像データをメモリカード１５から読み出すことができる。この結果、ディスプレイ端末４は、操作に応じて、現在表示中の画像を切り換えることができる。
【００９１】
なお、ＩＦ回路部４４ｃは、ＩＦ回路部４５ａ・４６ｂと同様に、現在表示している種類以外の種類の映像の表示指示を受け付けると、プログラマブルロジックＩＣ３１の制御回路（図示せず）へ指示して、プログラマブルロジックＩＣ３１の論理回路の接続を切り換えさせることができる。
【００９２】
上記構成では、ディスプレイ端末４の入力装置２４が、ユーザから、表示する映像の種類の変更指示を受け付けていない間（図５に示すＳ１にて、NOの間）、ディスプレイ端末４のプログラマブルロジックＩＣ３１は、ＲＯＭ３２・２０に格納されている複数のプログラムセット（Ｐａ〜Ｐｃ）のうち、自らが表示可能な映像の種類のうち、現在表示している種類の映像を表示／操作するためのプログラムセットに従って、自らの論理回路を接続している。
【００９３】
この状態では、図１に示すように、プログラマブルロジックＩＣ３１には、プログラマブルロジックＩＣ３１に形成可能なブロック群（４１ａ〜４５ａ）と、ブロック群（４１ｂ〜４７ｂ）とブロック群（４１ｃ〜４４ｃ）とのうち、現在のプログラムセットに従ったブロック群のみが形成されている。
【００９４】
当該ブロック群は、Ｓ２において、無線通信用ＩＣ１２またはＩＦ用ＩＣ１６からの信号によって表示が指示された映像を表示するように、ディスプレイ１３を制御している。また、この状態では、上記ブロック群は、入力装置２４からの入力信号に応じて無線通信用ＩＣ１２またはＩＦ用ＩＣ１６を制御している。例えば、図１は、受信機本体２からのテレビジョン放送を表示する場合を示しており、ブロック群４１ａ〜４５ａが形成されている。
【００９５】
これにより、ディスプレイ端末４は、受信機本体２からのテレビジョン放送、コンピュータ３からのデスクトップ画面またはメモリカード１５からの画像をディスプレイ１３に表示できる。また、ディスプレイ端末４は、選局操作や、デスクトップ画面への操作、あるいは、画像の切り換え操作を受け付け、操作を示す操作データを受信機本体２またはコンピュータ３へ送信したり、操作に応じた画像データをメモリカード１５から読み出して表示したりできる。
【００９６】
上記状態において、ディスプレイ端末４の入力装置２４が、ユーザから、表示する映像の種類の変更指示を受け付けると（Ｓ１にてYES の場合）、プログラマブルロジックＩＣ３１は、Ｓ３において、指示された種類の映像を表示するためのプログラムセットをＲＯＭ２２から読み出して、自らの論理回路の接続を切り換える。これにより、例えば、図６に示すように、デスクトップ画面を表示するためのブロック群（４１ｂ〜４７ｂ）が、プログラマブルロジックＩＣ３１に形成される。
【００９７】
このように、本参考形態に係るディスプレイ端末４には、蓄積型の記録媒体（メモリカード１５）、あるいは、通信の受信部（無線通信用ＩＣ１２）から読み込まれ、ロジック信号に変換された以降の画像データがディスプレイ１３へ転送されるまでの一連の動作をそれぞれ記述した複数のプログラムセットＰａ〜Ｐｃが記憶されており、プログラマブルロジックＩＣ３１は、これらのプログラムセットＰａ〜Ｐｃのうちのいずれかを読み込むことによって、動作を切り換えている。
【００９８】
したがって、プログラマブルロジックＩＣ３１に形成可能なブロック群（４１ａ〜４５ａ）と、ブロック群（４１ｂ〜４７ｂ）とブロック群（４１ｃ〜４４ｃ）とのうち、現在表示している種類の映像の表示に必要なブロック群のみがプログラマブルロジックＩＣ３１に形成されており、残余のブロック群は、他の種類の映像を表示するときまでは形成されていない。そして、現在表示している映像の種類が変更されると、プログラマブルロジックＩＣ３１に形成されるブロック群が切り換えられる。この結果、ディスプレイ端末４が表示可能な映像の種類毎に、それぞれを表示するためのＩＣを設ける構成とは異なって、主要処理部分を１チップＩＣで構成することが可能となり、複数ＩＣを接続する場合のＩ／Ｏ部と各ＩＣ間を接続するための配線部分とを削減できる。したがって、プリント基板の面積、層数を大幅に削減できる。これらの結果、それぞれを表示するためのＩＣを設ける構成と比較して、ディスプレイ端末４の回路規模、消費電力、寸法および重量、さらにはコストを大幅に削減できる。
【００９９】
また、上記ディスプレイ端末４では、上記動作は、プログラマブルロジックＩＣ３１によって行われているので、以下の構成、すなわち、汎用の高速なＣＰＵと主記憶装置とを備え、当該ＣＰＵに繰り返し処理をさせて、上記動作を行わせる構成と比較しても、同様に回路規模、消費電力、寸法および重量、さらにはコストを大幅に削減できる。
【０１００】
また、上記ディスプレイ端末４では、プログラマブルロジックＩＣ３１が上記動作を行っているので、一度、ディスプレイ端末４が設計されてからの仕様変更に対してもフレキシビリティを持たせることができる。例えば、最初に設計されたプログラマブルロジックＩＣの回路規模で収まり、Ｉ／Ｏピンの位置の変更が無く動作できるような回路プログラムであれば、上記プログラマブルロジックＩＣ３１のプログラム可能な論理回路を、当該回路プログラムでプログラムすることによって、容易に機能を追加することができる。
【０１０１】
ここで、本参考形態に係るディスプレイ端末４では、テレビジョン放送およびメモリカード１５の画像を表示できるだけではなく、コンピュータのデスクトップ画面を表示できるにも拘わらず、上記動作は、無線通信用ＩＣ１２またはＩＦ用ＩＣ１６からの信号の示す映像を表示するように、ディスプレイ１３を制御する動作と、入力装置２４からの入力信号に基づいて、入力装置２４が受け付けた操作を示す操作データを送信するように無線通信用ＩＣ１２を制御する動作、または、入力装置２４からの入力信号に基づいて、入力装置２４が受け付けた操作に応じて、ＩＦ用ＩＣ１６が読み出す画像を変更する動作と、入力装置２４が受け付けた操作に応じて、プログラマブルロジックＩＣ３１の動作を変更する動作とに制限されている。
【０１０２】
したがって、上記ＣＰＵのように逐次制御方式で制御される構成、すなわち、記憶装置に命令を記憶させ、そこから命令を１つずつ読み出して実行し、結果を返すという動作を繰り返す構成と異なり、プログラムのフローチャートの逐次ステートが論理回路として同時に存在するプログラマブルロジックＩＣ３１を用いても、何ら支障なく、上記各動作を行わせることができる。また、プログラマブルロジックＩＣ３１は、ＣＰＵを設けたシステムとは異なり、中央処理という考えがなく、処理が集中する部分が存在しない。また、命令と、データとがそれぞれ別の伝送経路で伝送されており、ＣＰＵのように、命令とデータとの双方を伝送するための共通のバスが存在していない。したがって、ＣＰＵで処理する場合と比較して、回路全体の動作周波数を大幅に削減できる。
【０１０３】
これらの結果、ソフトウェアで処理していた処理を、低消費電力でハードウェア処理でき、ソフトウェアで処理していた処理を、プログラマブルロジックＩＣ３１として、容易に１チップ化できる。例えば、ＣＰＵで処理した場合、１２〔Ｗ〕を消費していたのに対して、プログラマブルロジックＩＣ３１で処理した場合、消費電力を１〔Ｗ〕以下にまで低減できる。
【０１０４】
また、図７に示すように、プログラマブルロジックＩＣ３１ａ〜３１ｃは、ＯＳ（Operating System）の処理を行っていない。例えば、テレビジョン放送を表示する場合（図中破線の場合）には、ＭＡＣ（ＬＬＣ）層の上に、デコード処理を行う層と、インターレース／プログレッシブ変換やスケーリング処理を行う層とが形成されており、デコード処理を行う層は、ＭＡＣ（ＬＬＣ）層から、ＯＳを介すことなく、ＭＡＣプロトコルで伝送されたデータ列を受け取っている。同様に、コンピュータ３からのデスクトップ画面を表示する場合（図中、実線の場合）には、ＴＣＰ／ＩＰ層の上に、アプリケーション層（ＶＮＣ層）が形成され、当該アプリケーション層は、ＯＳを介すことなく、ＴＣＰ／ＩＰ層へ、送信先へ送信するデータ列を渡すと共に、ＴＣＰ／ＩＰ層から、ＯＳを介すことなく、ＴＣＰプロトコルで伝送されたデータ列（リモートデスクトップシステム用のプロトコルのデータ列）を受け取っている。なお、上記ＭＡＣ（ＬＬＣ）層は、ＭＡＣ層処理回路４２ａ・４２ｂによって実現されている。また、上記デコード処理を行う層と、インターレース／プログレッシブ変換やスケーリング処理を行う層は、デコーダ回路４３ａによって、ＴＣＰ／ＩＰ層およびアプリケーション層は、ＴＣＰ／ＩＰ処理部４３ｂおよびアプリケーション処理部４４ｂによって、それぞれ実現されている。
【０１０５】
このように、上記各層が、ＯＳを介さずに、通信しているので、ロジック信号に変換された以降の画像データがディスプレイ１３へ転送されるまでの一連の動作を簡略化できる。この結果、当該動作を、プログラマブルロジックＩＣ３１によって実行しているにも拘わらず、プログラマブルロジックＩＣ３１の回路規模を大幅に削減できる。
【０１０６】
ところで、一般に、上記両駆動回路の動作タイミングは、画素アレイと、ディスプレイへ入力される画像データのフォーマットとの組み合わせ毎に異なっていることが多い。したがって、ディスプレイにおいて、上記両駆動回路の動作タイミングを制御するタイミングコントローラは、画素アレイと別個のチップに収められることが多い。この結果、ディスプレイにタイミングコントローラとして動作する回路を設けると、ディスプレイを構成する素子の数が増加して、ディスプレイの構成が複雑になりがちである。
【０１０７】
これに対して、本参考形態に係るディスプレイ端末４では、ディスプレイ１３にタイミングコントローラが設けられておらず、プログラマブルロジックＩＣ３１がディスプレイ１３のデータ信号線駆動回路２２および走査信号線駆動回路２３を直接制御している（プログラマブルロジックＩＣ３１の端子が両駆動回路２２・２３の端子に接続されている）。この結果、上記タイミングコントローラをディスプレイ１３に設け、プログラマブルロジックＩＣ３１が当該タイミングコントローラと通信する構成と比較して、ディスプレイ１３の構成を簡略化でき、例えば、軽量なディスプレイ１３や薄型のディスプレイ１３を比較的容易に実現できる。
【０１０８】
なお、本参考形態では、ＲＯＭ２０がディスプレイ１３に設けられているが、一般に、タイミングコントローラの回路規模よりも、以下のプログラム、すなわち、当該上記両駆動回路２２・２３の動作タイミングを制御するための回路として、プログラマブルロジックＩＣ３１をプログラムするためのプログラムを記憶する記憶回路の方が、回路規模が小さい。したがって、全体的に見ると、ディスプレイ１３の構成は簡略化されている。
【０１０９】
また、上記プログラマブルロジックＩＣ３１は、読み込むプログラムセットを変更することによって、動作を変更できる。したがって、画素アレイと、ディスプレイへ入力される画像データのフォーマットとの組み合わせが変化したとしても、プログラムセットをそれぞれに合わせて変更するだけで、両駆動回路２２・２３の動作タイミングを、当該組み合わせに合うようにして制御できる。これにより、ハードウェアとしては、同じプログラマブルロジックＩＣ３１を使用できるので、ディスプレイ１３にタイミングコントローラとして動作する回路を設ける構成とは異なり、当該回路を別個のチップに分ける必要がない。したがって、当該回路を別個のチップに分ける場合と比較して、チップの外部と接続するための端子やインターフェース回路あるいは配線などを削減できる。これらの結果、ディスプレイ１３にタイミングコントローラを設ける構成と比較して、ディスプレイ端末４全体の回路構成を簡略化でき、例えば、軽量なディスプレイ端末４や薄型のディスプレイ端末４を実現できる。
【０１１０】
なお、上述したように、本参考形態では、上記プログラムセットは、表示する映像の種類が変更されたときに切り換えられているので、ＲＯＭ２０からプログラマブルロジックＩＣ３１へプログラムセットを伝送する際に必要な伝送速度は、ディスプレイ１３の上記両駆動回路２２・２３のタイミングを制御する回路と、当該回路へ信号を与える回路（例えば、デコーダ回路４３ａなど）との間で必要になる伝送速度とは比べものにならない程遅い。したがって、上記両回路の間で必要とされる端子の数および配線の数と比較して、ＲＯＭ２０からプログラマブルロジックＩＣ３１へプログラムセットを伝送するために設けられる端子の数および配線の数を容易に抑えることができる。
【０１１１】
また、新たなディスプレイ１３を開発する場合であっても、ディスプレイ１３の両駆動回路２２・２３の動作タイミングを制御するハードウェアは、プログラマブルロジックＩＣ３１である。したがって、ディスプレイ１３に上記タイミングコントローラを設ける構成とは異なって、タイミングコントローラのハードウェアを新たに設計する必要がなく、ディスプレイ１３の両駆動回路２２・２３の動作タイミングを制御する回路を、上記プログラマブルロジックＩＣ３１に形成するためのプログラムを設計するだけでよい。この結果、開発時の手間およびコストを削減できる。
【０１１２】
さらに、本参考形態に係るディスプレイ端末４では、プログラマブルロジックＩＣ３１のプログラムセットのうち、ドライバ制御用プログラムが、コントローラ部１４ではなく、ディスプレイ１３のＲＯＭ２０に格納されている。
【０１１３】
したがって、ディスプレイ端末４を製造する際、コントローラ部１４に接続されるディスプレイ１３の機種が、これまでに接続されていた機種から変更され、両駆動回路２２・２３の動作タイミングが変更されていたとしても、コントローラ部１４のＲＯＭ３２の内容およびコントローラ部１４のハードウェア構成を変更する必要がなく、プログラマブルロジックＩＣ３１は、何ら支障なく、変更後のディスプレイ１３の両駆動回路２２・２３に応じた動作タイミングで、両駆動回路２２・２３を制御できる。この結果、ディスプレイ端末４を製造する際の手間を削減できる。
【０１１４】
同様に、ディスプレイ１３の機種が互いに異なるディスプレイ端末４間で、コントローラ部１４のＲＯＭ３２の内容およびコントローラ部１４のハードウェア構成を互いに異ならせることなく、各コントローラ部１４が、それぞれに接続されるディスプレイ１３の両駆動回路２２・２３を制御できる。したがって、ディスプレイ端末４を製造する際の手間を削減できる。
【０１１５】
この結果、コントローラ部１４のプログラマブルロジックＩＣ３１が、ディスプレイ１３の両駆動回路２２・２３の動作タイミングを制御することによって、ディスプレイ端末４の構成が簡略化されているにも拘わらず、ディスプレイ端末４を製造する際の手間を削減できる。
【０１１６】
ところで、上記では、帯域保証型のＭＡＣプロトコルで通信する場合と、ベストエフォート型のＭＡＣプロトコルで通信する場合とで、物理層として動作する無線通信用ＩＣ１２が共用されており、プログラマブルロジックＩＣ３１内に、帯域保証型のＭＡＣ層処理回路４２ａ、または、ベストエフォート型のＭＡＣ層処理回路４２ｂが形成される場合を例にして説明したが、これに限るものではない。
【０１１７】
例えば、無線通信用ＩＣ１２が、双方のＭＡＣプロトコルでの処理が可能であれば、各ＭＡＣ層処理回路４２ａ・４２ｂをプログラマブルロジックＩＣ３１に形成せず、ＩＦ回路部４１ａ・４１ｂが、無線通信用ＩＣ１２を制御して、それぞれのＭＡＣプロトコルでデータ列を伝送させてもよい。また、状況（本参考形態では、テレビジョン放送を表示するか、デスクトップ画面を表示するか）毎に、物理層（必要に応じてＭＡＣ層を含む）として動作する無線通信用ＩＣ１２を、別個に設け、プログラマブルロジックＩＣ３１のＩＦ回路部４１ａ・４１ｂは、いずれかと通信してもよい。
【０１１８】
プログラマブルロジックＩＣ３１内にＭＡＣ層処理回路４２ａ・４２ｂが形成されるか否か、無線通信用ＩＣ１２が単数か否かに拘わらず、「上記プログラムセットＰａ…のうち、いずれを読み込ませるかによって、無線通信用ＩＣ１２とディスプレイ１３との間に介在するプログラマブルロジックＩＣ３１の論理回路の接続を変更できる」構成であれば、略同様の効果が得られる。
【０１１９】
ただし、本参考形態のように、無線通信用ＩＣ１２が単数であり、プログラマブルロジックＩＣ３１内をＭＡＣ層処理回路４２ａ…を形成すれば、無線通信用ＩＣ１２が複数の構成、および、無線通信用ＩＣ１２が複数のＭＡＣプロトコルを処理する構成と比較して、ディスプレイ端末４の回路規模、消費電力、寸法および重量を削減できる。
【０１２０】
〔実施形態〕
ところで、上記参考形態では、プログラマブルロジックＩＣをプログラムするプログラムセットのうち、ディスプレイの両駆動回路の動作タイミングを制御するプログラムが、ディスプレイに設けられた不揮発性のメモリ（ＲＯＭ）に格納されている構成として、プログラマブルロジックＩＣを含むコントローラ部とディスプレイとが製造時に接続された後（例えば、使用中など）には、着脱できない構成について説明した。
【０１２１】
これに対して、本実施形態では、使用中に、ディスプレイと上記プログラマブルロジックＩＣを含むコントローラ部とを着脱可能な構成について説明する。
【０１２２】
また、本実施形態では、ディスプレイおよびコントローラ部を含む装置が、ディスプレイ端末であり、当該ディスプレイ端末が受信機本体からのテレビジョン放送およびコンピュータからのデスクトップ画面などを表示する場合について説明したが、本実施形態では、コントローラ部が携帯電話機に含まれ、上記ディスプレイが、その増設ディスプレイである場合を例にして説明する。
【０１２３】
すなわち、図８に示すように、本実施形態において、携帯型電子機器としての携帯電話機５には、コネクタ５ａが設けられており、増設ディスプレイ６のコネクタ６ａを当該コネクタ５ａへ接続することによって、携帯電話機５に増設ディスプレイ６を接続できるように構成されている。これにより、携帯電話機５のユーザは、必要な場合は、増設ディスプレイ６を装着することによって、より大きな画面で、携帯電話機５を操作できる。なお、より大きな画面での操作が好ましい場合として、例えば、インターネット経由あるいは記録媒体からの読み取りなどによって取得した文書を表示する場合などが挙げられる。また、本実施形態では、増設ディスプレイ６・７および本体ディスプレイ５３（一部後述）が、特許請求の範囲に記載のディスプレイユニットに対応する。
【０１２４】
また、上記増設ディスプレイ６は、携帯電話機５から取り外すことができる。したがって、携帯電話機５のユーザは、不要なときは、増設ディスプレイ６を取り外すことによって、装着している場合よりも小さな携帯電話機５を操作できる。なお、携帯性が重視される状況としては、例えば、通話中、あるいは、着呼を待ち受けている状況などが挙げられる。
【０１２５】
上記増設ディスプレイ６は、例えば、図９に示すように、図１に示すディスプレイ１３と同様の部材２０〜２３を備えている。なお、増設ディスプレイ６は、入力装置２４を備えていてもよいが、本実施形態に係る増設ディスプレイ６は、入力装置２４を備えておらず、表示のみを行っている。
【０１２６】
一方、携帯電話機５は、図示しない基地局と通信するアンテナ５１と、当該アンテナ５１に接続され、ベースバンド信号と無線信号との間の変復調を行う無線通信用ＩＣ５２と、携帯電話機５の表示部として動作する本体ディスプレイ５３と、無線通信用ＩＣ５２および本体ディスプレイ５３の間に介在し、無線通信用ＩＣ５２を介して表示が指示された映像を表示するように、本体ディスプレイ５３を制御可能なコントローラ部５４と、例えば、携帯電話機５のボタンなどからなり、携帯電話機５のユーザによる操作を受け付ける入力装置５５と、例えば、マイクおよびスピーカなどからなり、通話のための音声の入出力を行う音声入出力部５６と、携帯電話機５全体を制御する制御部５７とを備えている。
【０１２７】
本体ディスプレイ５３は、図１に示すディスプレイ１３と同様の部材２０〜２３を備えている。なお、携帯電話機５には、入力装置５５が設けられているので、本体ディスプレイ５３からは、入力装置２４が省略されている。
【０１２８】
ここで、増設ディスプレイ６および本体ディスプレイ５３の画素アレイ２１の特性（解像度、表示可能な階調の数、寸法など）は、それぞれの用途に応じて設定されており、それぞれのデータ信号線駆動回路２２および走査信号線駆動回路２３は、それぞれの画素アレイ２１を駆動できるように構成されている。なお、本体ディスプレイ５３の画素アレイ２１、データ信号線駆動回路２２および走査信号線駆動回路２３が、それぞれ、特許請求の範囲に記載の本体側画素アレイ、本体側データ信号線駆動回路および本体側走査信号線駆動回路に対応する。
【０１２９】
例えば、本実施形態では、増設ディスプレイ６の画素アレイ２１は、携帯電話機５の画素アレイ２１と比較して、寸法がより大きく設定されており、解像度および表示可能な階調の数も向上されている。
【０１３０】
また、コントローラ部５４は、参考形態と同様の部材３１〜３３を備えている。ただし、本実施形態では、制御部５７が、本体ディスプレイ５３や増設ディスプレイ６などの各画素の階調を示す映像データをＲＡＭ３３に書き込むため、制御部５７がＲＡＭ３３にアクセスできるように構成されている。また、ＲＯＭ３２に格納されたプログラムセットは、携帯電話用の動作を行う回路をプログラマブルロジックＩＣ３１に形成するためのプログラムセットに変更されている。なお、プログラムセットの内容については後述する。
【０１３１】
本実施形態に係る携帯電話機５では、通話のためのエンコードおよびデコード処理も上記コントローラ部５４が行っており、上記音声入出力部５６は、コントローラ部５４を介して無線通信用ＩＣ５２に接続されている。
【０１３２】
また、上記制御部５７は、例えば、図示しないＣＰＵと、それに接続されたＲＯＭおよびＲＡＭとなどからなり、必要に応じてＲＡＭを参照しながら、当該ＣＰＵが、ＲＯＭなどに予め格納されたプログラムを実行することによって、無線通信用ＩＣ５２、入力装置５５、プログラマブルロジックＩＣ３１およびＲＡＭ３３を制御できる。これにより、制御部５７は、無線通信用ＩＣ５２または入力装置５５から入力されたデータ、ＲＡＭ３３に格納されたデータ、あるいは、その双方に基づいて、以下の処理、すなわち、ＲＡＭ３３の映像データを更新したり、無線通信用ＩＣ５２にデータ送信を指示したりできる。この結果、制御部５７は、例えば、予め登録されたアドレス帳からの電話番号の検索処理や、インターネットへのアクセス処理を含め、種々の処理を行うことができる。
【０１３３】
また、本実施形態に係る携帯電話機５には、図１に示すディスプレイ端末４と同様に、メモリカード５８へアクセスするためのＩＦ用ＩＣ５９が設けられており、制御部５７およびプログラマブルロジックＩＣ３１は、当該ＩＦ用ＩＣ５９を介して、メモリカード５８へアクセスできる。
【０１３４】
上記構成では、通話中、プログラマブルロジックＩＣ３１は、ＲＯＭ３２に格納されたプログラムに従って、自らの論理回路を接続している。これにより、プログラマブルロジックＩＣ３１には、図１０に示すように、無線通信用ＩＣ５２からの音声データを受け取るＩＦ回路部６１と、必要に応じて図９に示すＲＡＭ３３へアクセスしながら、当該ＩＦ回路部６１の受け取った音声データ（符号化された音声データ）をデコードするデコーダ回路６２と、デコードされた音声データを、音声信号として、音声入出力部５６へ出力する音声信号出力回路６３と、音声入出力部５６から入力された音声信号を受け取る音声信号入力回路６４と、当該音声信号入力回路６４によって入力された音声信号を、エンコードして、符号化された音声データとして出力すると共に、上記ＩＦ回路部６１へ指示して、当該符号化された音声データを上記無線通信用ＩＣ５２へと出力させるエンコード回路６５とが形成される。
【０１３５】
ここで、携帯電話機５のユーザの音声は、音声入出力部５６によって音声信号に変換され、上記プログラマブルロジックＩＣ３１の各ブロック６４、６５および６１は、当該音声信号をエンコードして生成した音声データを、無線通信用ＩＣ５２へ送信する。さらに、無線通信用ＩＣ５２は、符号化された音声データを無線信号へと変換し、アンテナ５１に送信させる。これにより、当該音声データは、図示しない基地局を介して通信相手の電話機へと伝えられる。一方、通信相手の電話機によって生成された音声データが基地局によって無線信号へと変換して送信され、携帯電話機５のアンテナ５１によって受信されると、携帯電話機５の無線通信用ＩＣ５２は、アンテナ５１の受信した無線信号を復調して、音声データへ変換し、プログラマブルロジックＩＣ３１へ送信する。さらに、プログラマブルロジックＩＣ３１の上記ブロック６１〜６３は、当該音声データをデコードし、当該音声データの示す音声を、音声入出力部５６から出力させる。これにより、携帯電話機５のユーザは、通信相手のユーザと音声通話できる。
【０１３６】
一方、通話中であるか否かに拘わらず、携帯電話機５が本体ディスプレイ５３に画面表示するときには、プログラマブルロジックＩＣ３１は、本体ディスプレイ５３のＲＯＭ２０に格納されたプログラムに従って、自らの論理回路を接続している。
【０１３７】
これにより、プログラマブルロジックＩＣ３１には、図１１に示すように、本体ディスプレイ５３のデータ信号線駆動回路２２および走査信号線駆動回路２３の動作タイミングを制御するためのドライバ制御回路７１ａが形成される。当該ドライバ制御回路７１ａは、例えば、制御部５７などによって、ＲＡＭ３３に格納された各画素の階調を示す映像データを順次読み出し、映像信号として、本体ディスプレイ５３（より詳細には、そのデータ信号線駆動回路２２）へ出力すると共に、それぞれの制御信号を、両駆動回路２２・２３へ供給して、両駆動回路２２・２３の動作タイミングを制御している。この結果、本体ディスプレイ５３には、制御部５７などによって表示が指示された映像が表示される。
【０１３８】
一方、増設ディスプレイ６が装着されたことを検出すると、プログラマブルロジックＩＣ３１は、増設ディスプレイ６のＲＯＭ２０から読み出したプログラムに従って、自らの論理回路をプログラムする。
【０１３９】
これにより、プログラマブルロジックＩＣ３１には、増設ディスプレイ６のデータ信号線駆動回路２２および走査信号線駆動回路２３の動作タイミングを制御するためのドライバ制御回路７１ｂが形成される。
【０１４０】
当該ドライバ制御回路７１ｂは、例えば、制御部５７などによって、ＲＡＭ３３に格納された各画素の階調を示す映像データを順次読み出し、映像信号として、増設ディスプレイ６（より詳細には、そのデータ信号線駆動回路２２）へ出力すると共に、それぞれの制御信号を、両駆動回路２２・２３へ供給して、両駆動回路２２・２３の動作タイミングを制御している。この結果、増設ディスプレイ６には、制御部５７などによって表示が指示された映像が表示される。
【０１４１】
また、これまで装着されていた増設ディスプレイ６が取り外され、図１２に示すように、当該増設ディスプレイ６とは異なる種類の増設ディスプレイ７が装着されたとしても、当該増設ディスプレイ７の両駆動回路２２・２３を制御する回路を形成するためのプログラムは、増設ディスプレイ７のＲＯＭ２０から読み込まれる。したがって、プログラマブルロジックＩＣ３１は、当該プログラムに従って自らの論理回路をプログラムして、増設ディスプレイ７の両駆動回路２２・２３を制御するドライバ制御回路７１ｃを形成することによって、何ら支障なく、増設ディスプレイ７を駆動できる。
【０１４２】
なお、増設ディスプレイ７は、増設ディスプレイ６と比較して、例えば、画素アレイ２１を構成する画素の数や、表示可能な階調の数、あるいは、寸法などが異なり、両駆動回路２２・２３の動作タイミングも異なっている点を除けば、増設ディスプレイ６と同様の構成であり、同様の部材２１〜２３を備えている。
【０１４３】
このように、本実施形態では、参考形態と同様に、増設ディスプレイ６および本体ディスプレイ５３にタイミングコントローラが設けられておらず、プログラマブルロジックＩＣ３１が、それぞれのデータ信号線駆動回路２２および走査信号線駆動回路２３を直接制御している。したがって、参考形態と同様に、増設ディスプレイ６、本体ディスプレイ５３および携帯電話機５の構成を簡略化でき、軽量な増設ディスプレイ６、本体ディスプレイ５３および携帯電話機５や、薄型の増設ディスプレイ６、本体ディスプレイ５３および携帯電話機５を比較的容易に実現できる。さらに、プログラマブルロジックＩＣ３１がそれぞれの上記両駆動回路２２・２３を制御しているので、参考形態と同様に、開発時の手間およびコストを削減できる。
【０１４４】
また、本実施形態では、参考形態と同様に、本体ディスプレイ５３の上記両駆動回路２２・２３を制御する回路を形成するためのプログラム（ドライバ制御用プログラム）が、コントローラ部５４ではなく、本体ディスプレイ５３に格納されているので、参考形態と同様に、携帯電話機５を製造する際の手間を削減できる。
【０１４５】
さらに、本実施形態では、製造後にプログラマブルロジックＩＣ３１と着脱可能な増設ディスプレイ６（７）に、それぞれのドライバ制御用プログラムが格納されており、プログラマブルロジックＩＣ３１は、増設ディスプレイ６（７）が装着されたときに、増設ディスプレイ６（７）から受け取ったドライバ制御用プログラムに従って、装着された増設ディスプレイ６（７）の両駆動回路２２・２３を制御する回路を形成する。
【０１４６】
したがって、プログラマブルロジックＩＣ３１を含む携帯電話機５に装着可能な増設ディスプレイの種類が複数あり、同じ制御回路が同じ動作タイミングで制御すると、いずれかの増設ディスプレイの両駆動回路２２・２３を正しく制御できない場合であっても、プログラマブルロジックＩＣ３１は、何ら支障なく、自らに装着された増設ディスプレイの両駆動回路２２・２３を制御できる。
【０１４７】
ここで、第１の比較例として、携帯電話機５に装着可能な増設ディスプレイ全てについて、それぞれの両駆動回路２２・２３を制御する回路を設けておく構成では、本実施形態と同様に、これらの増設ディスプレイのいずれが装着された場合でも、正しく制御できる。ところが、これらの回路を予め用意しておく構成では、回路規模が増大するだけではなく、ハードウェアを開発する必要があり、開発にも手間がかかる。また、第２の比較例として、これらの回路に代えて、全てのドライバ制御用プログラムを記憶しておく構成では、回路を設けておく構成よりは、回路規模の増大を抑えることができるが、全ての機種用のドライバ制御用プログラムを携帯電話機５に記憶しておく必要があるので、依然として回路規模が増大しがちである。
【０１４８】
また、いずれの比較例の構成でも、例えば、新たな増設ディスプレイの開発などによって、携帯電話機５の製造時に想定されていなかった増設ディスプレイの両駆動回路２２・２３を駆動しようとすると、携帯電話機５のハードウェアまたはソフトウェアの変更が必要になってしまう。
【０１４９】
これに対して、本実施形態では、各増設ディスプレイ６（７）に、それぞれのドライバ制御用プログラムが格納されており、プログラマブルロジックＩＣ３１は、当該プログラムに従って、装着された増設ディスプレイ６（７）の両駆動回路２２・２３を制御する回路を形成する。
【０１５０】
したがって、全ての増設ディスプレイを制御する回路を予め用意しておく第１の比較例の構成とは異なり、現在装着されていない増設ディスプレイを制御するための回路は、プログラマブルロジックＩＣ３１内に形成せず、現在装着されている増設ディスプレイを制御するための回路（ドライバ制御回路７１ａなど）のみを形成することができる。また、全ての増設ディスプレイのドライバ制御用プログラムを予め用意しておく第２の比較例の構成とは異なり、携帯電話機５には、いずれの増設ディスプレイのドライバ制御用プログラムも記憶されておらず、携帯電話機５のプログラマブルロジックＩＣ３１は、現在装着されている増設ディスプレイ６からドライバ制御用プログラムを読み込む。これらの結果、第１および第２の比較例と比較して、携帯電話機５の回路規模を大幅に削減できる。
【０１５１】
また、現在装着されている増設ディスプレイからドライバ制御用プログラムが読み込まれるので、第１および第２の比較例とは異なり、いずれの増設ディスプレイが装着される場合でも、携帯電話機５のハードウェアおよびソフトウェアの変更が不要である。したがって、携帯電話機５の製造後に新たな増設ディスプレイが開発された場合であっても、プログラマブルロジックＩＣ３１は、何ら支障なく、当該増設ディスプレイの両駆動回路の動作タイミングを制御できる。
【０１５２】
さらに、本実施形態では、本体ディスプレイ５３に表示するときと、増設ディスプレイに表示するときとで、プログラマブルロジックＩＣ３１は、読み込むドライバ制御用プログラムを変更している。したがって、増設ディスプレイに表示しているときには、本体ディスプレイ５３の両駆動回路２２・２３を制御するための回路を形成することなく、増設ディスプレイ６（７）を制御するためのドライバ制御回路７１ｂ（７１ｃ）を形成でき、携帯電話機５の回路規模を削減できる。
【０１５３】
なお、上記では、制御部５７がＲＡＭ３３の映像データを更新する場合を例にして説明したが、これに限るものではない。例えば、参考形態と同様に、プログラマブルロジックＩＣ３１にデコーダ回路（４３ａまたは４２ｃなど）を形成させるためのプログラムを、ＲＯＭ３２内に格納しておき、当該プログラムに従って自らの論理回路を接続したプログラマブルロジックＩＣ３１が、無線通信用ＩＣ５２またはＩＦ用ＩＣ５９から入力されるデータをデコードして、ＲＡＭ３３に書き込んでもよい。これにより、制御部５７に必要な演算量を削減でき、制御部５７がＲＡＭ３３に映像データを書き込む構成よりも、携帯電話機５の消費電力を削減できる。
【０１５４】
また、本実施形態では、携帯電話機５に着脱可能な増設ディスプレイ６（７）だけではなく、携帯電話機５に設けられた本体ディスプレイ５３にもＲＯＭ２０が搭載され、プログラマブルロジックＩＣ３１が本体ディスプレイ５３の両駆動回路２２・２３の動作タイミングをも制御する構成について説明したが、これに限るものではない。着脱可能な増設ディスプレイ６（７）にＲＯＭ２０が搭載され、増設ディスプレイ６（７）の両駆動回路２２・２３の動作タイミングを制御できれば、本体ディスプレイ５３を制御する回路を、プログラマブルロジックＩＣ３１とは別に設けてもよいし、本体ディスプレイ５３のＲＯＭ２０、あるいは、本体ディスプレイ５３自体を省略してもよい。
【０１５５】
ただし、本実施形態のように、携帯電話機５に設けられた本体ディスプレイ５３にもＲＯＭ２０が設けられている構成では、参考形態と同様に、本体ディスプレイ５３とコントローラ部５４との組み合わせを変更した場合の手間を削減できるので、製造時の手間を削減できる。
【０１５６】
さらに、ＲＯＭ２０が本体ディスプレイ５３に設けられているか否かに拘わらず、以下の構成、すなわち、プログラマブルロジックＩＣ３１が増設ディスプレイ６（７）だけではなく、本体ディスプレイ５３の両駆動回路２２・２３の動作タイミングを制御する構成では、本体ディスプレイ５３にタイミングコントローラを設ける構成よりも携帯電話機５の構成を簡略化できる。
【０１５７】
また、上記参考形態および実施形態では、ディスプレイ端末４、携帯電話機５および増設ディスプレイ６・７が携帯型である場合を例にして説明したが、これに限るものではない。例えば、ディスプレイ端末４は、受信機本体２またはコンピュータ３と有線の伝送経路を介して通信する据え置き型の装置であってもよい。また、携帯電話機５に代えて、有線の電話線に接続された電話機であってもよい。
【０１５８】
いずれの場合であっても、上記プログラムセットＰａ…のうち、いずれを読み込ませるかによって、プログラマブルロジックＩＣ３１の論理回路の接続を変更する構成によって、ディスプレイ端末４、あるいは、携帯電話機５および増設ディスプレイ６・７の回路規模、消費電力、寸法および重量を削減できる。
【０１５９】
また、ディスプレイ１３、増設ディスプレイ６あるいは本体ディスプレイ５３などのディスプレイユニットとは別体に設けられたプログラマブルロジックＩＣ３１が、これらのディスプレイユニットのデータ信号線駆動回路２２および走査信号線駆動回路２３に接続され、これら両駆動回路２２・２３の動作タイミングを制御することによって、両駆動回路２２・２３のタイミングコントローラをディスプレイユニットに設ける構成よりも、ディスプレイユニットの構成、および、それを含むシステム全体の構成を簡略化できる。
【０１６０】
ただし、バッテリによって駆動する携帯型の電子機器（ディスプレイ端末４、携帯電話機５および増設ディスプレイ６・７など）は、消費電力の削減が稼動時間の増大に直結する。また、携帯する場合、寸法および重量はできる限り小さい方が望ましい。したがって、携帯型の電子機器に特に好適に使用できる。なお、携帯型の電子機器としては、上述した携帯電話機だけではなく、ＰＤＡ（Personal Digital Assistant）や、電子辞書をはじめ、種々の機器が挙げられる。
【０１６１】
さらに、上記参考形態および実施形態では、ＲＯＭ３２に複数のプログラムセットが予め記憶されており、ＲＯＭ２０に、それぞれのドライバ制御用プログラムが予め記憶されている場合を例にして説明したが、これに限るものではない。プログラマブルロジックＩＣ３１が読み込むプログラムセットを切り換える前に、プログラムセットがプログラマブルロジックＩＣ３１からアクセス可能な記憶装置に格納されていれば、上記ＲＯＭ３２・２０に代えて／加えて、当該記憶装置を設けた構成でも、同様の効果が得られる。
【０１６２】
この場合、プログラムセットは、例えば、プログラムセットを記録媒体に格納し、当該記録媒体を配付したり、あるいは、有線または無線の通信路を介して伝送するための通信手段で送信したりして配付され、上記記憶装置へ書き込み可能な装置によって当該記憶装置へ書き込まれる。また、上記記録媒体を上記記憶装置として用いてもよい。いずれの場合であっても、当該プログラムセットが上記記憶装置に格納されると、当該記憶装置にアクセスするプログラマブルロジックＩＣ３１は、上記と同様に動作できるので、同様の効果が得られる。
【０１６３】
なお、配付用の記録媒体にプログラムを格納する際の形式は、例えば、プログラマブルロジックＩＣ３１が読み取り可能な形式であってもよいし、ソースコードや、インタプリトまたはコンパイルの途中で生成される中間コードとして格納されていてもよい。いずれの場合であっても、圧縮された情報の解凍、符号化された情報の復号、インタプリト、コンパイル、などの処理、あるいは、各処理の組み合わせによって、上記プログラマブルロジックＩＣ３１をプログラム可能な形式に変換可能であれば、プログラムを記録媒体に格納する際の形式に拘わらず、同様の効果を得ることができる。
【産業上の利用可能性】
【０１６４】
本発明は、携帯電話機と、その増設ディスプレイとして用いることができる。
【符号の説明】
【０１６５】
５          携帯電話機（携帯型電子機器）
６・７      増設ディスプレイ（ディスプレイユニット）
６ａ・７ａ  コネクタ
１３          ディスプレイ（ディスプレイユニット）
２０          ＲＯＭ（記憶手段）
２１          画素アレイ（本体側画素アレイ）
２２          データ信号線駆動回路（本体側データ信号線駆動回路）
２３          走査信号線駆動回路（本体側走査信号線駆動回路）
５３          本体ディスプレイ（ディスプレイユニット）
３１          プログラマブルロジックＩＣ（制御手段；プログラム可能な論理回路）
【図１】
2010107989.tif 000003
【図２】
2010107989.tif 000004
【図３】
2010107989.tif 000005
【図４】
2010107989.tif 000006
【図５】
2010107989.tif 000007
【図６】
2010107989.tif 000008
【図７】
2010107989.tif 000009
【図８】
2010107989.tif 000010
【図９】
2010107989.tif 000011
【図１０】
2010107989.tif 000012
【図１１】
2010107989.tif 000013
【図１２】
2010107989.tif 000014